(57)【要約】【課題】  容器内の密封性が不十分でも、粉体が吸湿することなく、しかも粉体の使い勝手が良好である倒立保持可能な粉体容器を提供する。【解決手段】  容器本体とその口部に被嵌されるキャップとからなり、容器本体は、口部を上方に向けた状態で正立不能である形状の底壁面を有し、キャップは容器本体が倒立時の接地部を有する側壁と、側壁に接続部を介して容器本体の口部を被嵌する被嵌部とからなり、キャップは側壁および／または接続部によって容器本体の底壁面を保持して、容器本体の口部が上方を向いた正立状態を維持可能に形成していることで、保管時に必ず容器本体を倒立保持し、確実に粉体が吸湿することなく、使用時に一時的に容器本体を正立保持して、粉体容器の使い勝手を良好なものにすることができる。【選択図】  図２
2006111281.tif 000002
【特許請求の範囲】
【請求項１】
容器本体と、該容器本体の口部に被嵌されるキャップとからなる倒立保持可能な粉体容
器であって、
前記容器本体は、その口部を上方に向けた状態で正立不能である形状の底壁面を有し、
前記キャップは、前記容器本体が倒立時の接地部を有する側壁と、該側壁に接続部を介
して前記容器本体の口部を被嵌する被嵌部とからなり、
前記キャップは、前記側壁および／または前記接続部によって前記底壁面を保持して、
前記容器本体の口部が上方を向いた正立状態を維持可能に形成されていることを特徴とす
る倒立保持可能な粉体容器。
【請求項２】
前記側壁および／または前記接続部と前記被嵌部によって、前記容器本体がその口部を
上方に向けた状態で正立状態を維持可能に形成されている請求項１記載の倒立保持可能な
粉体容器。
【請求項３】
前記底壁面は前記容器本体の側周面から顎部を介して接続されたドーム形状である請求
項１または２項記載の倒立保持可能な粉体容器。
【請求項４】
前記容器本体の口部に雄螺条が形成され、前記キャップの被嵌部に雌螺条が形成されて
いる請求項１ないし３のいずれか１項記載の倒立保持可能な粉体容器。
【請求項５】
前記キャップが透明の素材で構成されてなる請求項１ないし４のいずれか１項記載の倒
立保持可能な粉体容器。
【発明の詳細な説明】
【技術分野】
【０００１】
本発明は、容器本体とその口部に被嵌されるキャップとからなる倒立保持可能な粉体容
器に関するもので、より詳しくは、容器を使用しない時は倒立保持状態で保管し、粉体を
継続使用する時は一時的に正立保持状態で保管出来るようにし、内容物である粉体の吸湿
を防止することを目的とした倒立保持可能な粉体容器である。
【背景技術】
【０００２】
粉体容器は、容器本体とその口部に被嵌されるキャップとからなり、食塩、七味唐辛子
、胡椒、複合調味料、粉末ミルク、インスタントコーヒーなどの粉体を収容するものであ
る。この粉体容器には、大別して、食塩、七味唐辛子や胡椒、複合調味料などを収容し、
口部に小孔を開けた中蓋を被せて出る量を制御するものと、インスタントコーヒー、粉末
ミルクなどを収容して上記の中蓋のないものとがある。いずれの粉体容器であっても、そ
の内容物を使用しないときは、通常、容器本体の口部にキャップを被嵌して、口部を上方
に向けた状態、すなわち、正立保持状態で保管するようになっている。
【０００３】
しかしながら、粉体容器は、転倒しても、液体容器と異なり内容物たる粉体が直ちに外
にこぼれるものではないので、元々容器本体の口部に被嵌状態のキャップの密封性が不十
分であり、その上、消費者も粉体容器が転倒しても、内容物の粉体がこぼれにくいという
意識があるために、仮に被嵌状態のキャップに密封性が十分あったとしても、しっかりと
被嵌しない傾向がある。したがって、粉体容器は、その口部にキャップを被嵌していても
、保管中に空気中の水分が中に入り込み、粉体が吸湿し固化してしまう場合がある。粉体
が固化してしまった場合、消費者はその都度、容器本体の口部からキャップや中蓋を外し
、箸やスプーンなどで、吸湿し固化している粉体を、ほぐしたり砕いたりして、容器本体
内から取り出して使用している。このような事情から、食塩、複合調味料、粉末ミルクな
ど、特に吸湿固化し易い粉体の場合、キャップの頂面や容器内に吸湿剤を封入するなどの
対策が取られているが、粉体の吸湿固化を防止する手段としては、必ずしも最適なものと
は言えない。
【０００４】
一方、特に吸湿固化し易い食塩の入った粉体容器の口部を下に向けた状態、すなわち、
倒立保持状態にしておくと、梅雨時、例えば、気温２０度、湿度８０％で１０日間保管し
ても、食塩はサラサラ状態を保持し、キャップを外して振り掛けると、食塩が中蓋の小孔
から勢い良く出て来る事実が確認された。これとは反対に、同じ条件で、食塩の入った粉
体容器の口部を上に向けた状態、すなわち、正立保持状態にしておくと、食塩は吸湿して
固化状態になり、キャップを外して振り掛けても、食塩が中蓋の小孔から振り出しにくい
という事実もある。しかしながら、このような食塩をサラサラ状態に保持した事実に基づ
き、常時倒立保持させるような粉体容器は、今のところ知られていない。
【０００５】
【特許文献１】特開平８−２８２７１７号公報
【０００６】
上記特許文献１は、容器を常時倒立保持可能な状態にしておくという観点からの技術を
示すものである。
この特許文献１の倒立保持可能な容器は、図８に示すように、マヨネーズやケチャップ
などの粘度の高い液状あるいはコロイド状の内容物を収容するものであり、弾性変形可能
な容器本体５０と、この容器本体５０の口部５１に螺着脱しこの口部５１を下にして容器
本体５０を倒立保持可能な天面部５２を有する蓋体５３とからなっており、この容器本体
５０に蓋体５３を螺着して、天面部５２により容器本体５０を暫く倒立保持しておけば、
粘度の高い内容物のマヨネーズやケチャップなどは、口部５１近傍に貯留状態となって、
ほぼ全量を押し出すことが出来るというものである。
【発明の開示】
【発明が解決しようとする課題】
【０００７】
従来の粉体容器は、通常、正立保持状態で保管するから、そのままでは内容物の粉体が
吸湿固化するのを防ぐことが困難であるが、これを倒立保持状態で保管出来れば、容器上
部にヘッドスペースがなくなることにより、容器とキャップの隙間等から進入してくる容
器外気中の水分が無くなるので、粉体の吸湿を防ぐことが期待できる。しかしながら、従
来の粉末容器は、正立保持状態で保管するのが正常であるから、容器によっては倒立保持
状態で保管することができない場合があり、更に、倒立保持することを忘れ易く、その場
合にこれら吸湿を防ぐことが困難である。
【０００８】
特許文献１は、倒立保持可能な容器であっても、容器内容物が粘度の高いマヨネーズや
ケチャップなどを最後まで使い切ることを目的としたものであって、内容物たる粉体の湿
気や固化を防ぐためのものではない。したがって、上記のように、単に従来の粉体容器を
倒立保持状態にして内容物の粉体の湿気や固化を防ぐのではなく、倒立保持状態を通常の
保管状態にして、確実に内容物の粉体の湿気や固化を防ぐことの出来る粉体容器が望まれ
ている。
【０００９】
そこで、本発明の目的は、容器内の密封性が不十分であっても、また、うっかり忘れる
というミスが生ずる余地が無く、確実に内容物の粉体に吸湿を生じさせないで保管でき、
しかも内容物の粉体の使い勝手が良好である倒立保持可能な粉体容器を提供することにあ
る。
【課題を解決するための手段】
【００１０】
本発明は、上記目的を達成するために提案されたものであって、下記の構成からなるこ
とを特徴とするものである。
すなわち、本発明によれば、容器本体と、該容器本体の口部に被嵌されるキャップとか
らなる倒立保持可能な粉体容器であって、前記容器本体は、その口部を上方に向けた状態
で正立不能である形状の底壁面を有し、前記キャップは、前記容器本体が倒立時の接地部
を有する側壁と、該側壁に接続部を介して前記容器本体の口部を被嵌する被嵌部とからな
り、前記キャップは、前記側壁および／または前記接続部によって前記底壁面を保持して
、前記容器本体の口部が上方を向いた正立状態を維持可能に形成されていることを特徴と
する倒立保持可能な粉体容器が提供される。
【００１１】
また、本発明によれば、前記側壁および／または前記接続部と前記被嵌部によって、前
記容器本体が前記口部を上方に向けた状態で正立状態を維持可能に形成されている上記倒
立保持可能な粉体容器が提供される。
【００１２】
また、本発明によれば、前記底壁面は前記容器本体の側周面から顎部を介して接続され
たドーム形状である上記倒立保持可能な粉体容器が提供される。
【００１３】
また、本発明によれば、前記容器本体の口部に雄螺条が形成され、前記キャップの被嵌
部に雌螺条が形成されている上記倒立保持可能な粉体容器が提供される。
【００１４】
また、本発明によれば、前記キャップが透明の素材で構成されてなる上記倒立保持可能
な粉体容器が提供される。
【発明の効果】
【００１５】
すなわち、本発明の粉体容器は、内容物である粉体の入った容器本体は、底壁面の形状
により、口部を上方に向けた状態では自立出来ず、すなわち正立不能であり、キャップの
被嵌部に口部を被嵌しキャップの接地部を保管面に接地した状態にして、はじめて容器本
体を立てること、すなわち、口部を下方に向けた状態で保持可能（倒立保持可能）となる
。一方、容器本体の口部からキャップを外した後、キャップの側壁および／または接続部
に容器本体の底壁面を載置又は軽く係合することで、口部が上方を向いた正立状態を維持
可能になる。したがって、保管時に必ず容器本体を倒立保持することになり、容器内の密
封性が不十分であっても、うっかり忘れるというミスが生ずる余地が無く、確実に内容物
の粉体を湿気固化を生じさせないで保管できる。また、使用時には一時的に容器本体を正
立保持できて、内容物の粉体の使い勝手が良好となる。
【００１６】
また、前記側壁および／または前記接続部の加えて、キャップ被嵌部も利用することで
によっても、一時保管時に容器本体を正立状態を維持するがより一層確実になり、内容物
の粉体の使い勝手が更に良好となる。
【００１７】
また、容器本体の口部に雄螺条を形成し、キャップの被嵌部に雌螺条を形成することに
より、容器本体の口部にキャップを螺着脱できるようになり、上記効果に加えて、容器本
体とキャップとの着脱が容易であるから、内容物の粉体の保管、一時保管、使用も容易と
なる。
【００１８】
また、本発明によれば、キャップを通して容器本体が透けて見えようにした場合は、上
記効果に加えて、キャップを通して容器本体の状況を外から確認することができ、容器本
体が倒立状態のままキャップを外してしまう事態を未然に防ぎ、内容物の粉体が口部から
こぼれることがない。
【発明を実施するための最良の形態】
【００１９】
以下に、図面を参照して本発明を実施するための最良の形態を説明する。
【実施例１】
【００２０】
図１は本発明の実施例１を示す倒立保持可能な粉体容器の側面図、図２は図１の倒立保
持可能な粉体容器の縦断面図である。図において、倒立保持可能な粉体容器１（以下、単
に「粉体容器１」という）は、容器本体２と、この容器本体２の口部３に被嵌されるキャ
ップ４とからなり、キャップ４は、円筒形状の側壁７を有し、その側壁の一端が開放端と
なっており、その開放端が容器本体２にキャップ４を被嵌した状態で倒立保持する際の接
地部６となっている。その側壁７の接地部６と反対側から接続部８を介して容器本体２の
口部３を被嵌する被嵌部９が設けられている。接続部８は、後で説明する容器本体２の底
壁面５に対応して曲面になっている。
【００２１】
容器本体２は、図１、２に示すように、キッチンや食卓等の台２０上に載置したキャッ
プ４上に、倒立状態で被嵌しているのが正常状態であって、口部３と、肩部１０と、側周
面１１と、底部１２とで構成されている。この容器本体２は、食塩、七味唐辛子、胡椒、
複合調味料などの粉体（以下、「食塩など」という）を収容するものであるから、小孔１
３を開けた中蓋１４を口部３に被せて食塩などの出る量を制御している。そして、この口
部３の外側周面には雄螺条１５が形成され、これに対応するキャップ４の被嵌部９の内側
周面には雌螺条１６が形成されて、容器本体２とキャップ４とが自在に螺着脱することが
出来るようになっている。
【００２２】
容器本体２の底部１２は、側周面１１に連なる顎部１７と、この顎部１７に連なる底壁
面５とからなる。該顎部１７は、前記キャップ４側壁７に載置され、使用時の容器本体２
を一時保管するために正立状態で保持させるものであり、容器本体２のぐらつきや転倒を
防ぐものである。該底壁面５は、通常保管時に正立状態を不能にさせるためのものであり
、この実施例１ではドーム形状にして、正立状態を不能にしている。なお、この底壁面５
の形状は、三角形状や傾斜形状など、容器本体２が正立状態を不能にさせ得る形状であれ
ばよく、上記のドーム形状に限定されない。
【００２３】
前記キャップ４は、前記容器本体２の口部３に螺着脱して、食塩などの出し入れを自在
にすると共にこれらを保管可能とし、且つ、容器本体２を倒立状態で保持するためのもの
であり、既に述べたように、接地部６が開放端である側壁７と、この側壁７に連なる接続
部８と、この接続部８を介して容器本体２の口部３を被嵌する被嵌部９とからなる。
【００２４】
このキャップ４は、図３に示すように、キッチンや食卓等の台２０上に置いた状態でそ
の側壁７および接続部８により、容器本体２を正立状態を維持している。これは食塩など
を使用する際、一時的に容器本体２を正立状態に維持して、食塩などの使用上の便宜を図
るためのものである。したがって、これら側壁７および接続部８の形状は、容器本体２の
底部１２の形状に対応したものとなっている。すなわち、キャップ４の側壁７は、容器本
体２の底部１２における顎部１７に沿う形状になっているから、キャップ４の接続部８の
関与がなくても、容器本体２を正立状態に維持することが可能である。キャップ４の接続
部８も、同様に容器本体２の底部１２における底壁面５に沿う形状になっているから、キ
ャップ４の側壁７の関与がなくても、容器本体２を正立状態に維持可能である。もちろん
、本実施例のようにキャップ４の側壁７と接続部８の双方とも関与すれば、容器本体２を
より正立状態に維持することが可能であるし、より安定度が高まることは言うまでもない
。
【００２５】
このキャップ４は、図４に示すように、図３と逆にキッチンや食卓等の台２０上に置い
た状態で側壁７の接地部６および被嵌部９により、容器本体２を正立状態を維持している
。これも食塩などを使用する際、一時的に容器本体２を正立状態に維持して、食塩などの
使用上の便宜を図るためのものである。したがって、これら接地部６および被嵌部９の形
状は、容器本体２の底部１２の形状に対応するものとなっている。すなわち、キャップ４
の接地部６は側壁７の開放端であり、容器本体２の底部１２における顎部１７に対応して
おり、キャップ４の被嵌部９の関与がなくても、容器本体２を正立状態に維持することが
可能である。
【００２６】
更に、キャップ４の被嵌部９が、容器本体２の底部１２における底壁面５に対応した形
状になっていることにより、上記のキャップ４の側壁７の接地部６と相俟って、容器本体
２をより確実に正立状態に維持可能となる。なお、被嵌部９における底壁面５に対応する
形状は、この実施例１では、被嵌部９の天板２１にドーム状凹部２２を設けることで実現
される。また、キャップ４は、透明の素材で構成されていることにより、キャップ４を通
して容器本体２の状況が確認出来、容器本体２が倒立状態のまま口部３からキャップ４を
外す事態を未然に防ぎ、内容物の食塩などが口部２からこぼれることがない。
【００２７】
なお、容器本体２とその口部３に螺着脱されるキャップ４とのシール形態は、図１ない
し４の中蓋１４以外に、図５、６に示す形態であってもよい。図５のシール形態は、容器
本体２の口部３とキャップ４との間にパッキン２３を介在させるものであり、図６のシー
ル形態は、容器本体２の口部３の内周面に嵌合するリング２４を、キャップ４の被嵌部９
の天板２１に設けたものである。
【００２８】
また、図７に他の変形例を示す。図７の（ａ）は倒立保持可能な粉体容器の他の実施例
を示す縦断面図であり、（ｂ）は他の実施例の倒立保持可能な粉体容器の使用状態を示す
縦断面図である。容器本体２は図１ないし４と同様であるので、説明を省略する。
キャップ１０４は容器本体２の口部３を被嵌する被嵌部１０９と、円筒形状の側壁１０
７と、その側壁１０７の接地部１０６から容器本体２の底部１２に対応するドーム面１１
０と側壁１０７、被嵌部１０９を繋ぐ複数のリブ１１１（本変形例では３本）とからなる
接続部１０８が形成されている。リブ１１１はキャップ１０４を螺着脱する際の補強部材
であり、手で側壁１０７を握って螺着脱する力を効率よく被嵌部１０９に伝えることが可
能３である。このようなリブを図１ないし５に示した構成に設けることも可能である。
【００２９】
次に、上記構成になる食塩などの入っている粉体容器１の使用方法を説明する。
粉体容器１は、図１、２に示すように、正常の保管状態で容器本体２が食卓２０に載置
したキャップ４上に倒立状態で被嵌している。次に、内容物である食塩などを使用したい
場合は、まず、キャップ４が透明であるから、容器本体２が倒立状態であり、そのままで
はキャップ４と容器本体２を分離したのでは食塩などがこぼれるため、キャップ４を上に
して容器本体２を正立状態にしてから、口部３からキャップ４を螺脱し、食品に食塩など
を振り掛け使用する。引き続き食塩などを使用する場合は、図３に示すように、キッチン
や食卓等の台２０上に載置したキャップ４上に容器本体２を正立状態で軽く係合させてお
くだけで、直ぐに食塩などを再使用できるようにする。あるいは、図４に示すように、食
卓２０にキャップ４を図３と逆に載置して、そのキャップ４上に容器本体２を正立状態で
置き、食塩などを再使用できるようにしてもよい。どちらの場合も、キャップ４上に容器
本体２を正立状態で置くことが出来て、使い勝手が良くなる。
【００３０】
食塩などの使用が終われば、正立状態の容器本体２の口部３にキャップ４を螺着して、
図１、２に示すように、食卓２０上にキャップ４を下にして容器本体２を倒立状態に保持
して保管する。この状態であると、容器本体２の口部３とキャップ４との密封性が不十分
であっても、内容物の食塩などがシール材の役目を果たし、すなわち、中蓋１４の小孔１
３から空気中の水分は容器本体２内にほとんど入り込めなくなり、食塩などの吸湿を防ぐ
ことが出来る。なお、本実施例１では、中蓋１４のある粉体容器１について詳述に説明し
たが、中蓋１４のない図３、４の場合も同様であることはいうまでもない。
【産業上の利用可能性】
【００３１】
本発明の倒立保持可能な粉体容器は、内容物たる粉体が空気に晒されて吸湿しやすい場
合に利用可能性が高く、更に、内容物たる粉体が一時的に継続して使用されるような場合
に極めて利用可能性が高くなる。
【図面の簡単な説明】
【００３２】
【図１】本発明の実施例１を示す倒立保持可能な粉体容器の側面図である。
【図２】実施例１の倒立保持可能な粉体容器の縦断面図である。
【図３】実施例１の倒立保持可能な粉体容器の使用状態を示す縦断面図である。
【図４】実施例１の倒立保持可能な粉体容器の他の使用状態を示す縦断面図である。
【図５】倒立保持可能な粉体容器の他のシール状態を示す部分縦断面図である。
【図６】倒立保持可能な粉体容器の他のシール状態を示す部分縦断面図である。
【図７】（ａ）は倒立保持可能な粉体容器の他の実施例を示す縦断面図であり、            （ｂ）は他の実施例の倒立保持可能な粉体容器の使用状態を示す縦断面図で        ある。
【図８】従来例を示す縦断面図である。
【符号の説明】
【００３３】
１                        倒立保持可能な粉体容器
２，５０                  容器本体
３，５１                  口部
４，１０４                キャップ
５                        底壁面
６，１０６                接地部
７，１０７                側壁
８，１０８                接続部
９，１０９                被嵌部
１０                      肩部
１１                      側周面
１２                      底部
１３                      小孔
１４                      中蓋
１５                      雄螺条
１６                      雌螺条
１７                      顎部
２０                      台
２１                      天板
２２                      ドーム状凹部
２３                      パッキン
２４                      リング
５２                      天面部
５３                      蓋体
１１１                      リブ                                            
【図１】
2006111281.tif 000003
【図２】
2006111281.tif 000004
【図３】
2006111281.tif 000005
【図４】
2006111281.tif 000006
【図５】
2006111281.tif 000007
【図６】
2006111281.tif 000008
【図７】
2006111281.tif 000009
【図８】
2006111281.tif 000010